(57)【要約】【課題】複数台の室内機を有する空気調和機において、集中管理機器側で異なる空調空間ごとに室内機を高い信頼性をもってグループ分けできるようにする。【解決手段】複数台の室内機２０（２０Ａ〜２０Ｊ）を間仕切りされた部屋Ｆ１，Ｆ２，Ｆ３ごとにグループ分けするにあたって、各室内機２０をサーモオフの待機状態としたうえで、集中管理機器１０から指定された１台の例えば室内機２０Ａを冷房または暖房の運転モードで運転を開始させて、その指定室内機２０Ａが存在する部屋Ｆ１内の室温を変化させ、これによって室温変化を検知した部屋Ｆ１内の室内機２０Ｂ，２０Ｆから集中管理機器１０に自機のアドレスを送信させることにより、集中管理機器１０側で室内機２０Ａ，２０Ｂ，２０Ｆが同じ部屋Ｆ１内に配置されていると認識して、これらの室内機を一つのグループとして登録する。【選択図】図１
2014149117.tif 000002
【特許請求の範囲】
【請求項１】
集中管理機器に対して、所定の空調空間内に配置されている複数台の室内機が通信線を介して双方向通信可能に接続されており、上記集中管理機器にて上記各室内機を異なる空調空間ごとにグループ分けする空気調和機において、
上記集中管理機器は、上記各室内機に設定されているアドレス情報と、上記各室内機に設けられている室温センサにて検知される室温変化情報とに基づいて上記各室内機をグループ分けするグルーピングモードを備え、
上記グルーピングモードでは、上記各室内機をサーモオフの待機状態としたうえで、上記集中管理機器から指定された１台の室内機が指定室内機として冷房または暖房の運転モードで運転を開始し、上記指定室内機以外の室内機のうち、室温変化を検知した室内機を反応室内機として上記反応室内機から上記集中管理機器に少なくとも自機のアドレス情報が送信され、上記集中管理機器は上記指定室内機と上記反応室内機とを同一のグループとして登録したのち、上記同一のグループに登録された室内機を除く上記各室内機について同様に上記グルーピングモードを実行して、上記複数台の室内機を異なる空調空間ごとにグループ分けすることを特徴とする空気調和機。
【請求項２】
上記運転モードは、上記室温センサにより検出される室温が所定の目標設定温度以下のときには冷房運転とし、上記室温センサにより検出される室温が所定の目標設定温度以上のときには暖房運転とすることを特徴とする請求項１に記載の空気調和機。
【請求項３】
上記指定室内機以外の室内機のうちで、室温変化を検知した上記反応室内機も順次運転を開始し、運転を開始したことを上記集中管理機器に通知することを特徴とする請求項１または２に記載の空気調和機。
【請求項４】
上記集中管理機器には、上記グルーピングモードを実行する時間を計時するタイマが備えられ、各グループ分けごとに上記グルーピングモードを繰り返し実行するにあたって、上記タイマには上記指定室内機に対する運転時間がセットされ、上記運転時間は上記反応室内機から自機のアドレス情報が送信されるたびにリセットされ、最後の上記反応室内機の運転開始時から上記運転時間が経過した時点で、グループ登録されていない未登録室内機があるかないかを判定し、未登録室内機があれば、次のグルーピングモードに移行し、未登録室内機がなければ、上記グルーピングモードを終了することを特徴とする請求項１ないし３のいずれか１項に記載の空気調和機。
【請求項５】
上記集中管理機器には、上記グルーピングモードを実行する時間を計時するタイマが備えられ、各グループ分けごとに上記グルーピングモードを繰り返し実行するにあたって、上記タイマが上記指定室内機の運転開始時から所定時間が経過した時点で、グループ登録されていない未登録室内機があるかないかを判定し、未登録室内機があれば、次のグルーピングモードに移行し、未登録室内機がなければ上記グルーピングモードを終了することを特徴とする請求項１ないし３のいずれか１項に記載の空気調和機。
【請求項６】
上記集中管理機器は、上記各室内機がサーモオフの待機状態にあるとき、上記各室内機からアドレス情報と機種情報とを収集することを特徴とする請求項１ないし５のいずれか１項に記載の空気調和機。
【発明の詳細な説明】
【技術分野】
【０００１】
本発明は、複数台の室内機を異なる空調空間ごとにグループ分けするグルーピングモードを備えた空気調和機に関するものである。
【背景技術】
【０００２】
複数台の室内機が例えば間仕切り等により区画された異なる空調空間に配置されている場合、集中管理機器やリモートコントローラ（以下「リモコン」と言う）等により各室内機の運転を制御するうえで、同一の空調空間に配置されている室内機を探し出してグループ化することが行われている。
【０００３】
その手法の一つ（第１の手法）として、従来では、作業者が各空調空間に出向いて、その空調空間内に配置されている室内機だけを運転し、運転された室内機からアドレスや機種情報等を集中管理機器に送信し、集中管理機器側で送信された情報に基づいてグループ分けを行うようにしている（例えば、特許文献１参照）。
【０００４】
これとは別の手法（第２の手法）として、室内機のレイアウト図面上で、空調空間を区画割りして、その各空調空間内に含まれる室内機のアドレスを集中管理機器に登録してグループ分けを行うことが知られている。
【先行技術文献】
【特許文献】
【０００５】
【特許文献１】特開２００２−１３０７７９号公報
【発明の概要】
【発明が解決しようとする課題】
【０００６】
しかしながら、上記第１の手法によると、作業者が空調空間にまで出向いて一台ずつ室内機をオン／オフさせる必要があり、その後、別の空調空間でも同様な作業を行わなければならないため、グループ分けに時間と労力がかかる、という問題がある。
【０００７】
また、グループ分けした後において、例えば間仕切りが変更され、室内機がこれまでとは別の空調空間に属するようになった場合には、再度、作業者が空調空間の現場に出向いて同様な作業を行う必要がある。
【０００８】
上記第２の手法によれば、室内機のレイアウト図面上で、各室内機をグループ分けすることができ、作業者の負担は軽減されるものの、図面上に記載されたレイアウトと実際のレイアウトとが異なる場合があるため、信頼性の点で問題がある。
【０００９】
そこで、本発明の課題は、所定の空調空間内に配置されている複数台の室内機を有する空気調和機において、作業者に負担をかけることなく、集中管理機器側で異なる空調空間ごとに室内機を高い信頼性をもってグループ分けできるようにすることにある。
【課題を解決するための手段】
【００１０】
上記課題を解決するため、本発明は、集中管理機器に対して、所定の空調空間内に配置されている複数台の室内機が通信線を介して双方向通信可能に接続されており、上記集中管理機器にて上記各室内機を異なる空調空間ごとにグループ分けする空気調和機において、上記集中管理機器は、上記各室内機に設定されているアドレス情報と、上記各室内機に設けられている室温センサにて検知される室温変化情報とに基づいて上記各室内機をグループ分けするグルーピングモードを備え、上記グルーピングモードでは、上記各室内機をサーモオフの待機状態としたうえで、上記集中管理機器から指定された１台の室内機が指定室内機として冷房または暖房の運転モードで運転を開始し、上記指定室内機以外の室内機のうち、室温変化を検知した室内機を反応室内機として上記反応室内機から上記集中管理機器に少なくとも自機のアドレス情報が送信され、上記集中管理機器は上記指定室内機と上記反応室内機とを同一のグループとして登録したのち、上記同一のグループに登録された室内機を除く上記各室内機について同様に上記グルーピングモードを実行して、上記複数台の室内機を異なる空調空間ごとにグループ分けすることを特徴としている。
【００１１】
本発明において、上記運転モードは、上記室温センサにより検出される室温が所定の目標設定温度以下のときには冷房運転とし、上記室温センサにより検出される室温が所定の目標設定温度以上のときには暖房運転とする。
【００１２】
本発明の好ましい態様によると、上記指定室内機以外の室内機のうちで、室温変化を検知した上記反応室内機も順次運転を開始し、運転を開始したことを上記集中管理機器に通知する。
【００１３】
本発明において、上記集中管理機器には、上記グルーピングモードを実行する時間を計時するタイマが備えられ、各グループ分けごとに上記グルーピングモードを繰り返し実行するにあたって、上記タイマには上記指定室内機に対する運転時間がセットされ、上記運転時間は上記反応室内機から自機のアドレス情報が送信されるたびにリセットされ、最後の上記反応室内機の運転開始時から上記運転時間が経過した時点で、グループ登録されていない未登録室内機があるかないかを判定し、未登録室内機があれば、次のグルーピングモードに移行し、未登録室内機がなければ、上記グルーピングモードを終了する。
【００１４】
別の態様として、上記集中管理機器には、上記グルーピングモードを実行する時間を計時するタイマが備えられ、各グループ分けごとに上記グルーピングモードを繰り返し実行するにあたって、上記タイマが上記指定室内機の運転開始時から所定時間が経過した時点で、グループ登録されていない未登録室内機があるかないかを判定し、未登録室内機があれば、次のグルーピングモードに移行し、未登録室内機がなければ、上記グルーピングモードを終了させてもよい。
【００１５】
本発明において、上記集中管理機器は、上記各室内機がサーモオフの待機状態にあるとき、上記各室内機からアドレス情報と機種情報とを収集する。
【発明の効果】
【００１６】
本発明によれば、複数台の室内機をグループ分けするにあたって、各室内機をサーモオフの待機状態としたうえで、集中管理機器から指定された１台の室内機（指定室内機）が冷房または暖房の運転モードで運転を開始すると、その指定室内機が存在する空調空間内の室温が変化するため、室温変化を検知した室内機（反応室内機）は指定室内機と同じ空調空間内に配置されていると判定することができる。したがって、反応室内機から集中管理機器に自機のアドレスを送信させることにより、集中管理機器側で同一空調空間内に配置されている室内機を一つのグループとして登録することができる。また、例えば室内の間仕切りが変更され、室内機が別の空調空間に配置された場合にも容易に対応することができる。
【００１７】
この場合、各室内機を通常の空気調和機の運転モードとして、指定室内機を例えば冷房運転させた場合、室温が低下して目標設定温度に達するとサーモオフ状態になる。したがって、指定室内機以外の室内機（他の室内機）が、室温変化を検知したとしても、その検知室温が目標温度に到達していると、他の室内機もサーモオフ状態となり、運転を開始しないことになる（指定室内機を暖房運転させた場合も同様）。
【００１８】
これに対して、冷房または暖房の運転モードを、通常の空気調和時の運転モードとは逆として、室温センサにより検出される室温が所定の目標設定温度以下のときには冷房運転とし、室温センサにより検出される室温が所定の目標設定温度以上のときには暖房運転とすることにより、指定室内機以外の室内機で、室温変化を検知した室内機に運転を開始させることができる。例えば、指定室内機を冷房運転させ、室温が目標設定温度以下の場合であっても、室温変化を検知した他の室内機は冷房運転を開始する。
【００１９】
このように、指定室内機だけでなく、室温変化を検知した反応室内機も運転を開始させることにより、運転が開始された反応室内機からの吹出空気によって隣接する室内機付近の室温が変化し、その室温変化を検知した室内機も運転を開始する、というように各室内機が順次運転を開始することになることから、空調空間が広い場合であっても、より短時間で正確にグループ分けすることができる。
【図面の簡単な説明】
【００２０】
【図１】本発明の実施形態を説明するため、各室内機が間仕切りされた空調空間内に配置されている状態を示す模式図。
【図２】本発明を実施するために集中管理機器と室内機とに搭載される機能を示すブロック図。
【図３】上記実施形態の動作説明用のフローチャート。
【発明を実施するための形態】
【００２１】
次に、図１ないし図３により、本発明の実施形態について説明するが、本発明はこれに限定されるものではない。
【００２２】
図１に、本発明の実施形態として、１台の集中管理機器（集中コントローラ）１０と、１０台の室内機２０Ａ〜２０Ｊとを示す。以下の説明において、各室内機を区別する必要がない場合には、総称として室内機２０とする。各室内機２０は、冷媒配管を介して室外機と接続されているが、冷媒配管および室外機は図示が省略されている。
【００２３】
集中管理機器１０に対して、１０台の室内機２０Ａ〜２０Ｊが通信線３０を介して接続されている。集中管理機器１０には、パソコン（パーソナルコンピュータ）もしくはそれと同等の機能を有する制御機器（コントローラ）が用いられてよい。
【００２４】
この実施形態での室内機２０の配置について説明すると、１０台の室内機２０がともにオフィスビル等の比較的大面積の１つのフロワＦ内に配置されているが、この場合、図１に示すように、そのフロワＦ内が間仕切りＰ１，Ｐ２により３つの部屋（独立した空調空間）Ｆ１，Ｆ２，Ｆ３に区画され、部屋Ｆ１には３台の室内機２０Ａ，２０Ｂ，２０Ｆが配置され、部屋Ｆ２には３台の室内機２０Ｃ，２０Ｄ，２０Ｅが配置され、部屋Ｆ３には４台の室内機２０Ｇ，２０Ｈ，２０Ｉ，２０Ｊが配置されているものとする。
【００２５】
また、各室内機２０にはリモコン４０が付設されている。リモコン４０は、室内機２０と有線で接続される壁掛け式のワイヤードリモコンもしくは赤外線式のワイヤレスリモコンのいずれであってもよい。
【００２６】
複数台の室内機２０を各部屋（空調空間）ごとにグループ化するにあたって、集中管理機器１０は、図２に示すように、液晶表示パネル等からなる表示手段１１と、グループ設定手段１２と、タイマ１３と、通信線３０を介して各室内機２０と双方向通信を行う通信手段１４とを少なくとも備える。
【００２７】
なお、グループ設定手段１２には、各室内機２０をグループ化したのち、そのグループ内に存在する室内機を個別操作可能とするか、一括的に連携操作可能とするかを設定するための対応動作設定部１２ａが含まれている。
【００２８】
このほか、図示しないが、集中管理機器１０は、グループ単位もしくは個別的に各室内機２０の電源をオン／オフする機能や、室温の目標温度設定機能等、各室内機２０の運転を制御する機能を備えている。
【００２９】
これに対して、各室内機２０は、図２に示すように、通信線３０を介して集中管理機器１０と双方向通信を行う通信手段２１と、室温変化検知手段２２と、記憶部２３とを少なくとも備える。
【００３０】
室温変化検知手段２２には、室内機２０の空気吸い込み部に設けられている室温センサが利用されてよいが、この場合には、後述するサーモオフの待機状態で室温を検知するには室内ファンを駆動する必要がある。また、室温変化検知手段２２として、例えばサーモパイル等の熱電対型の温度検知素子が用いられてもよいが、この場合には、室内ファンを駆動する必要はない。この実施形態では、室温変化検知手段２２として、室温センサを利用しているため、以下、室温変化検知手段を室温センサ２２とする。
【００３１】
記憶部２３には、室内機２０にあらかじめ設定されているアドレス２３ａと、室内機２０の機種情報２３ｂ等が書き込まれている。このほか、図示しないが、各室内機２０には、通常の室内機が備える室内熱交換器、室内ファンそれに膨張弁等が設けられている。なお、室内機２０の機種情報２３ｂには、例えば、ワット（馬力）で表記される熱交換能力、このほかに風向板の角度調整形態（手動式、モータ駆動式の別）やフィルタ清掃機能の有無等が含まれる。
【００３２】
次に、図３に示すフローチャートを参照して、図１に例示されている１０台の室内機２０をグループ化する手順について説明する。なお、図３の左側のフローが集中管理機器１０で実行される手順であり、その右側のフローが各室内機２０で実行される手順である。
【００３３】
この実施形態では、各室内機２０から少なくともアドレスと機種情報とを収集したうえで、集中管理機器１０に設けられているグループ設定手段１２を操作して「グルーピングモード」に設定し、まず、ステップＳＴ１１１として、各室内機２０に「グループ確認運転」を行うことを通知する。
【００３４】
グループ確認運転を開始するにあたって、各室内機２０からアドレスのほかに機種情報を収集するのは、室内機２０をグループ分けした後の集中管理時において、グループ内に含まれている各室内機２０の例えば風向板の角度を揃えたり、あるいはフィルタ清掃を行わせる際の順番等を設定するためである。なお、別の実施形態として、グループ確認運転開始後の例えば上記ステップＳＴ１１１で、各室内機２０からアドレスと機種情報とを収集してから、各室内機２０に「グループ確認運転」を通知するようにしてもよい。
【００３５】
一方、各室内機２０は、通常運転状態（目標設定温度を基準として冷房運転もしくは暖房運転を行う状態）にあり、ステップＳＴ２１１で、集中管理機器１０から「グループ確認運転」の通知を受けると、ステップＳＴ２１２で、通常運転状態から待機状態に入る。
【００３６】
この待機状態とは、通常運転時のサーモオフ（室温が目標設定温度に達し、例えば室内機側の膨張弁が閉じられた状態）と同等の状態を言うが、室温センサ２２にてより正確な室温を検知するため、室内ファンを例えば微風回転とする。
【００３７】
次に、集中管理機器１０は、ステップＳＴ１１２で、グループ番号の変数ＮをＮ＝１（グループ１）としたのち、ステップＳＴ１１３で、未登録の室内機２０の中から１台の室内機２０を指定して運転開始を指示するとともに、タイマ１３をスタートさせる。本明細書では、この運転開始を指示された室内機を「指定室内機」と言うことがある。
【００３８】
この場合、最初のグループ分けで、１０台の室内機２０がすべてがグループ分けされていない未登録状態であることから、例えば指定室内機として室内機２０Ａに運転開始を指示する。また、タイマ１３には、運転が開始された指定室内機からの吹出空気が隣接する室内機に到達し、その室温センサ２２にて室温変化が検知されるまでに要する時間等を考慮して例えば５分程度の時間がセットされる。
【００３９】
室内機２０側では、上記のようにステップＳＴ２１２で待機状態となるが、次のステップＳＴ２１３で、集中管理機器１０からの運転開始の指示を受けると、ステップＳＴ２１４として、室内機２０Ａが冷房もしくは暖房の運転モードで運転を開始する（他の室内機２０Ｂ〜２０Ｊは待機状態）。
【００４０】
このグルーピングモードにおいて行われる室内機２０の運転モードは、通常の空気調和時の運転モードとは逆で、室温センサ２２により検出される室温が所定の目標設定温度以下のときには冷房運転で、室温センサ２２により検出される室温が所定の目標設定温度以上のときには暖房運転である。
【００４１】
例えば、目標設定温度が２０℃で、室温が１８℃であるとすると、室内機２０Ａは冷房運転を開始し、運転を開始したことを集中管理機器１０に通知する。室内機２０Ａの冷房運転により、部屋Ｆ１の室温は下がる方向に変化する。
【００４２】
この室温低下が例えば室内機２０Ｂの室温センサ２２で検知されると、室内機２０Ｂも室内機２０Ａと同じく冷房運転を開始し、室内機２０Ｂは、集中管理機器１０に運転を開始したことを自機のアドレスを付して通知する。なお、本明細書では、室温低下（室温の変化）を検知した室内機を、室温変化に反応したとの意味で「反応室内機」と言うことがある。
【００４３】
このようにして、室内機２０Ａと室内機２０Ｂとが冷房運転となることにより、部屋Ｆ１の室温がさらに下がる。この室温低下が室内機２０Ｆの室温センサ２２にて検知されると、室内機２０Ｆも冷房運転を開始し、室内機２０Ｆは、集中管理機器１０に運転を開始したことを自機のアドレスを付して通知する。
【００４４】
集中管理機器１０は、ステップＳＴ１１４で、反応室内機から運転開始の通知を受けると、次のステップＳＴ１１５において、上記のように運転を開始したことを通知してきた部屋Ｆ１内に存在する３台の室内機２０Ａ，２０Ｂ，２０Ｆをグループ設定手段１２にグループ１として登録する。また、通知を受信するたびにタイマ１３をリセットする。
【００４５】
この例では、最初に指定室内機２０Ａから通知があり、次に反応室内機２０Ｂと反応室内機２０Ｆとから順次通知があり、これらの各通知がタイムアップの５分前であれば、そのたびにタイマ１３がリセットされるが、最後の反応室内機２０Ｆからの通知後、５分経過しても運転を開始したことの通知がなければ、ステップＳＴ１１６で、タイムアップと判定する。
【００４６】
そして、次段のステップＳＴ１１７で、グループ１への登録は完了として、グループ１に登録された室内機２０Ａ，２０Ｂ，２０Ｆに運転停止の指示を出す。室内機２０Ａ，２０Ｂ，２０Ｆが、ステップＳＴ２１５で、運転停止の指示を受信すると、ステップＳＴ２１６で、室内機２０Ａ，２０Ｂ，２０Ｆは運転を停止する。
【００４７】
このようにして、グループ１への登録を完了したのち、集中管理機器１０は、ステップＳＴ１１８で、グループ設定手段１２の室内機登録状況に基づいて、未登録の室内機（いずれのグループにも登録されていない室内機）があるかないかを判定し、未登録の室内機がある場合にはステップＳＴ１１９に進み、未登録の室内機がない場合にはステップＳＴ１２０に進む。
【００４８】
この例では、室内機２０Ｃ〜２０Ｅ，２０Ｇ〜２０Ｊの７台が未登録であるから、ステップＳＴ１１９で、グループ番号の変数ＮをＮ＝Ｎ＋１（グループ２）としたのち、ステップＳＴ１１３に戻り、室内機２０Ｃ〜２０Ｅ，２０Ｇ〜２０Ｊの中から１台の室内機、例えば室内機２０Ｃを指定室内機として運転開始の指示を与えるとともに、タイマ１３をスタートさせ、以後同様に、ステップＳＴ１１４〜ＳＴ１１８（室内機側ではステップＳＴ２１３〜ＳＴ２１４）を実行する。
【００４９】
すなわち、指定室内機２０Ｃが冷房運転を開始することにより、部屋Ｆ２内の室温が下がる方向に変化し、室温センサ２２にて検知された室温低下に反応して部屋Ｆ２内の他の室内機２０Ｄ，２０Ｅが順次冷房運転を開始し、これら各反応室内機から運転を開始したことを集中管理機器１０に通知することにより、部屋Ｆ２内に存在する３台の室内機２０Ｃ，２０Ｄ，２０Ｅがグループ２に登録される。
【００５０】
グループ２への登録完了後、集中管理機器１０は、再度ステップＳＴ１１８で、未登録の室内機があるかどうかを判定するが、この例では、まだ室内機２０Ｇ〜２０Ｊが未登録であるため、ステップＳＴ１１９で、グループ番号の変数ＮをＮ＝Ｎ＋１（グループ３）としたのち、ステップＳＴ１１３に戻り、室内機２０Ｇ〜２０Ｊの中から１台の室内機、例えば室内機２０Ｇを指定室内機として運転開始の指示を与えるとともに、タイマ１３をスタートさせ、以後同様に、ＳＴ１１４〜ＳＴ１１８（室内機側ではステップＳＴ２１３〜ＳＴ２１４）を実行し、グループ３への登録を行う。
【００５１】
すなわち、指定室内機２０Ｇが冷房運転を開始することにより、部屋Ｆ３内の室温が下がる方向に変化し、室温センサ２２にて検知された室温低下に反応して部屋Ｆ３内の他の室内機２０Ｈ，２０Ｉ，２０Ｊが順次冷房運転を開始し、これら各反応室内機より運転を開始したことを集中管理機器１０に通知することにより、部屋Ｆ３内に存在する４台の室内機２０Ｇ，２０Ｈ，２０Ｉ，２０Ｊがグループ３に登録される。
【００５２】
グループ３への登録完了後、集中管理機器１０は、再度ステップＳＴ１１８で、未登録の室内機があるかどうかを判定するが、この例では、１０台の室内機２０がすべていずれかのグループに登録されているため、ステップＳＴ１２０で、「グループ確認運転」は完了として、グループ登録結果を表示手段１１に表示する。
【００５３】
この表示には、次表に示すように、対応動作選択部１２ａにより各グループごとに設定された対応動作も含まれる。また、ステップＳＴ１２０で、各室内機２０に対して、グループ登録結果と、対応動作選択部１２ａにより設定された対応動作とを配信する。なお、他の集中管理機器がある場合には、それにも同様に配信したのち、グルーピングモードを終了し、通常運転を再開する。
【００５４】
【表１】
2014149117.tif 000003
【００５５】
この表により、グループ１には３台の室内機２０Ａ，２０Ｂ，２０Ｆが所属し、グループ２には同じく３台の室内機２０Ｃ，２０Ｄ，２０Ｅが所属し、グループ３には４台の室内機２０Ｇ，２０Ｈ，２０Ｉ，２０Ｊが所属し、また、グループ１，３には対応動作として「個別操作」が設定され、グループ２には対応動作として「連携操作」が設定されていることが分かる。
【００５６】
「個別操作」とは、同じグループに属していても、目標設定温度や送風風量等の運転条件をリモコン４０にて各室内機ごとに設定し得る操作であり、これに対して、「連携操作」とは、同じグループに属している室内機は、リモコン４０により１台の室内機に設定された運転条件が他の室内機にも適用される操作である。なお、本発明では、通信線３０を介して「連携操作」が行われることから、別途にリモコン配線をする必要はない。
【００５７】
各室内機２０は、ステップＳＴ２１７で集中管理機器１０からの配信を受信すると、ステップＳＴ２１８で、集中管理機器１０から配信されたグループ登録結果と、対応動作選択部１２ａにより設定された対応動作とを記憶部２３に保存し、自機が所属するグループに対する対応動作として「連携操作」が設定されている場合には、以後、そのグループに所属する室内機、グループ２について言えば、室内機２０Ｃ、２０Ｄ、２０Ｅおよび集中管理機器１０との間で通信線３０を介して運転条件等を遣り取りし、集中管理機器１０の指示により同一の運転条件で冷房運転や暖房運転等を行う。
【００５８】
なお、上記実施形態では、集中管理機器１０のステップＳＴ１１３で、「グループ確認運転」を行う際、タイマ１３に、運転が開始された指定室内機からの吹出空気が隣接する室内機に到達し、その室温センサにて室温変化が検知されるまでに要する時間等を考慮して例えば５分程度の時間をセットしているが、これとは別に、最も広い部屋（空調空間）を想定し、指定室内機を初めとして反応室内機を順次運転させて行った場合、その冷気もしくは暖気が部屋全体に行き渡る時間を予測し、その予測時間を例えば２０分としてタイマ１３にセットしてもよい。
【００５９】
この場合には、指定室内機および反応室内機より運転を開始した通知を受けるたびに、タイマをリセットさせる必要はなく、タイマ１３にセットされた例えば２０分経過後に、グループ登録完了とし、次のグループ分けに移行する。
【００６０】
また、上記実施形態では、室温変化を検知した室内機２０を反応室内機として冷房運転（指定室内機が暖房運転の場合には暖房運転）を開始させ、その運転開始を集中管理機器１０に通知するようにしているが、指定室内機のみを運転させ、それによる室温変化を室温センサ２２で検知したら、室内機２０を運転させることなく、その室内機２０より自機のアドレスを集中管理機器１０に通知するようにしてもよい。
【符号の説明】
【００６１】
１０  集中管理機器
１１  表示手段
１２  グループ設定手段
１２ａ  対応動作選択部
１３  タイマ
１４  通信手段
２０（２０Ａ〜２０Ｊ）  室内機
２１  通信手段
２２  室温変化検知手段（室温センサ）
２３  記憶部
２３ａ  アドレス
２３ｂ  機種情報
３０  通信線
４０  リモコン
【図１】
2014149117.tif 000004
【図２】
2014149117.tif 000005
【図３】
2014149117.tif 000006